(57)【要約】【課題】パーマネント用ロッドに髪を巻き付けるときに、巻き付けにムラが生じにくいパーマネント用ロッド回転装置を提供する。【解決手段】パーマネント用ロッド２００の内部に挿入され、パーマネント用ロッド２００を着脱自在に保持し、弾性を備える樹脂で形成されたロッド保持部１０と、ロッド保持部１０の一端側を回転可能に保持する回転駆動部２０と、を備え、ロッド保持部１０は、一端側にパーマネント用ロッド２００の末端に係合可能な係合部１４（係合部１４ａ、係合部１４ｂ）、およびパーマネント用ロッド２００の内周面を径方向外側に押圧する押圧部１３（突出部１３ａ〜突出部１３ｃ）を有し、押圧部１３（突出部１３ａ〜突出部１３ｃ）は、ロッド保持部１０の回転軸１０ｃに対して回転対称に押圧可能な、パーマネント用ロッド回転装置１００である。【選択図】図１
2019213608.tif 000002
【特許請求の範囲】
【請求項１】
円筒状のパーマネント用ロッドを回転可能に保持するパーマネント用ロッド回転装置であって、
前記パーマネント用ロッドの内部に挿入され、前記パーマネント用ロッドを着脱自在に保持し、弾性を備える樹脂で形成されたロッド保持部と、
前記ロッド保持部の一端側を回転可能に保持する回転駆動部と、を備え、
前記ロッド保持部は、前記一端側に前記パーマネント用ロッドの末端に係合可能な係合部、および前記パーマネント用ロッドの内周面を径方向外側に押圧可能な押圧部を有し、
前記押圧部は、前記ロッド保持部の回転軸に対して回転対称に押圧可能な、パーマネント用ロッド回転装置。
【請求項２】
請求項１に記載のパーマネント用ロッド回転装置であって、
前記押圧部は、前記ロッド保持部から径方向外側に突出する複数の突出部を有し、
前記複数の突出部は、前記ロッド保持部の回転軸に対して回転対称に配置されている、パーマネント用ロッド回転装置。
【発明の詳細な説明】
【技術分野】
【０００１】
本発明は、円筒状のパーマネント用ロッドを回転可能に保持するパーマネント用ロッド回転装置に関する。
【背景技術】
【０００２】
従来、パーマネントでは、髪を波形にちぢらせるために、円筒状のパーマネント用ロッドを複数用い、１つ１つのパーマネント用ロッドに髪を巻き付ける。そして、この１つ１つのパーマネント用ロッドに髪を巻き付ける作業の作業性を向上させるために、モータを用いてパーマネント用ロッドを回転させる技術が開示されている。
【０００３】
例えば、特許文献１には、パーマネント用ロッドの内部に挿入され、パーマネント用ロッドを着脱自在に保持するロッド保持部と、ロッド保持部の一端側を保持し、この一端側をモータを用いて回転させることができる回転駆動部とを備えるパーマネント用ロッド回転装置が記載されている。
【０００４】
使用者は、このパーマネント用ロッド回転装置を、例えば、次のように使用することができる。使用者は、まずロッド保持部をパーマネント用ロッドに差し込み、ロッド保持部にパーマネント用ロッドを保持させる。次に、回転駆動部を把持する。ここで、回転駆動部のモータを用いてロッド保持部を回転させると、ロッド保持部に保持されたパーマネント用ロッドは、ロッド保持部と共に回転する。使用者は、このようにパーマネント用ロッドを回転させ、パーマネント用ロッドに髪を巻きつけることができる。次に、パーマネント用ロッドに髪を巻き付けたら、パーマネント用ロッドをロッド保持部から取り外す。そして、パーマネント用ロッドの両端にある溝に輪ゴムひっかけて、パーマネント用ロッドに巻き付けられた髪をとめる。この様にパーマネント用ロッド回転装置を用いれば、使用者はパーマネント用ロッドに髪を容易に巻き付けることができる。
【先行技術文献】
【特許文献】
【０００５】
【特許文献１】特開２００２−７８５２５号公報
【発明の概要】
【発明が解決しようとする課題】
【０００６】
しかし、特許文献１に記載のパーマネント用ロッド回転装置では、パーマネント用ロッドの中心軸が、回転の中心軸からずれることにより、パーマネントの仕上がりにムラが生じることが問題となる場合があった。すなわち、特許文献１のパーマネント用ロッド回転装置では、ロッド保持部がパーマネント用ロッドを保持するために、ロッド保持部に保持された１つの板バネがパーマネント用ロッドの内周面を一方向に押圧する。これにより、パーマネント用ロッドの中心軸は、回転の中心軸からずれ、パーマネント用ロッドの回転にぶれが生じ、さらに、パーマネント用ロッドの髪の巻き付けにムラが生じ、ひいては、パーマネントの仕上がりにムラが生じることが問題となる場合があった。
【０００７】
本発明は、このような点に鑑みて創案されたものであり、本発明が解決しようとする課題は、パーマネント用ロッドに髪を巻き付けるときに、巻き付けにムラが生じにくいパーマネント用ロッド回転装置を提供することにある。
【課題を解決するための手段】
【０００８】
本発明の一つの特徴によると、パーマネント用ロッド回転装置は、円筒状のパーマネント用ロッドを回転可能に保持するパーマネント用ロッド回転装置であって、前記パーマネント用ロッドの内部に挿入され、前記パーマネント用ロッドを着脱自在に保持し、弾性を備える樹脂で形成されたロッド保持部と、前記ロッド保持部の一端側を回転可能に保持する回転駆動部と、を備え、前記ロッド保持部は、前記一端側に前記パーマネント用ロッドの末端に係合可能な係合部、および前記パーマネント用ロッドの内周面を径方向外側に押圧可能な押圧部を有し、前記押圧部は、前記ロッド保持部の回転軸に対して回転対称に押圧可能である。
【０００９】
これにより、パーマネント用ロッド回転装置に、パーマネント用ロッドを保持させた場合、回転駆動部が、ロッド保持部をパーマネント用ロッドと共に回転させることができる。ここで、係合部がパーマネント用ロッドの末端に係合することで、確実にパーマネント用ロッドを回転させることができる。
【００１０】
さらに、本発明のパーマネント用ロッド回転装置は、パーマネント用ロッドの内周面を径方向外側に押圧する押圧部が、ロッド保持部の回転軸に対して回転対称に押圧可能である。従って、パーマネント用ロッドは、中心軸がロッド保持部の回転軸と重なる様に押圧部によって径方向外側に押圧されることで保持される。これにより、回転駆動部がロッド保持部を回転させたとき、パーマネント用ロッドを、パーマネント用ロッドの中心軸を中心に回転させることができる。
【００１１】
以上で説明したように、パーマネント用ロッド回転装置は、係合部がパーマネント用ロッドの末端に係合することで、確実にパーマネント用ロッドを回転させることができる。そして、押圧部がロッド保持部の回転軸に対して回転対称に押圧することで、パーマネント用ロッドの中心軸を中心に回転させることができる。その結果、パーマネント用ロッドの回転にぶれが生じにくいため、パーマネント用ロッドに髪を巻き付けるときに、巻き付けにムラが生じにくい。
【００１２】
また、ロッド保持部は弾性を備える樹脂で形成されており、押圧部が、パーマネント用ロッドを径方向外側に弾性的に押圧することでパーマネント用ロッドを保持している。ここで、押圧部の弾性により押圧部の径方向の長さは変わりうる。このため、パーマネント用ロッド回転装置は、内径が特定の径のパーマネント用ロッドに限らず、内径の異なる種々のパーマネント用ロッドを、ロッド保持部に回転可能に保持できる。換言すれば、パーマネント用ロッド回転装置に保持させて髪を巻きつけるパーマネント用ロッドとして、内径の異なる種々のパーマネント用ロッドを用いることができる。
【００１３】
次に、他の特徴によると、前記押圧部は、ロッド保持部から径方向外側に突出する複数の突出部を有し、前記複数の突出部は、前記ロッド保持部の回転軸に対して回転対称に配置されている。これにより、パーマネント用ロッドは、複数の突出部に押圧されるため、安定してロッド保持部に保持される。
【発明の効果】
【００１４】
本発明は、上記の各発明の構成をもつことにより、パーマネント用ロッドに髪を巻き付けるときに、巻き付けにムラが生じにくいパーマネント用ロッド回転装置を提供することができる。
【図面の簡単な説明】
【００１５】
【図１】実施形態に係るパーマネント用ロッド回転装置の模式的な分解斜視図である。
【図２】図１に示すロッド保持部の前から視た側面図である。
【図３】図１に示すロッド保持部の押圧部の側面図である。
【図４】図１に示すロッド保持部のスプライン軸部におけるＩＶ−ＩＶ断面図である。
【図５】スプライン軸部を回転駆動部の筒軸部に嵌めた状態における、回転駆動部およびスプライン軸部の模式的な断面図である。
【図６】実施形態に係るパーマネント用ロッド回転装置の使用時の状態を説明する図である。
【図７】図６に示すロッド保持部のスプライン軸部およびパーマネント用ロッドの後端部のＶＩＩ−ＶＩＩ断面図である。
【図８】図６に示すロッド保持部およびパーマネント用ロッドのＶＩＩＩ−ＶＩＩＩ断面図である。
【図９】他の実施形態に係るパーマネント用ロッド回転装置の図８に対応する断面図である。
【発明を実施するための形態】
【００１６】
以下に、本発明を実施するための実施形態について、図１〜図８を用いて説明する。本実施形態のパーマネント用ロッド回転装置１００は、パーマネント用ロッド２００を回転可能に保持する。図１の分解斜視図に示す様に、パーマネント用ロッド回転装置１００は、ロッド保持部１０と、回転駆動部２０とを備え、これらは着脱自在に構成されている。そして、ロッド保持部１０は、一方側が、円筒状のパーマネント用ロッド２００に挿入され、その反対側が、回転駆動部２０に連結可能に構成されている。ここで、図１に示す様に、ロッド保持部１０のパーマネント用ロッド２００が挿入される側の先端方向を前方とし、前方の反対方向を後方とする。前方、後方が記載されているすべての図において、これらの方向は同一の方向を示し、以下の説明において方向に関する記述はこれらの方向を基準とすることがある。なお、以下の説明において、パーマネント用ロッド回転装置１００の付随的な構成については、その図示および詳細な説明を省略する。
【００１７】
＜１．パーマネント用ロッド回転装置１００の構成（図１〜図４）＞
上述した様に、パーマネント用ロッド回転装置１００は、前側にロッド保持部１０、後側に回転駆動部２０を備えている（図１参照）。そして、パーマネント用ロッド２００は、図１に示すように、円筒状に形成されており、前端部２１１に前方に開口する複数の溝２１１ａを周方向に等間隔に備え、同様に、後端部２１２に後方に開口する複数の溝２１２ａを周方向に等間隔に備えている。なお、本明細書では、円筒状とは、前端と後端が開口し、断面が円で筒状に構成されていることである。
【００１８】
ロッド保持部１０は、図１に示すように、前側に円柱状の中心軸部１１と、中心軸部１１の後端から後方に延びるスプライン軸部１２とを備え、これらは弾性を備える樹脂で一体に形成されている。弾性を備える樹脂として、例えば、シリコンゴム、フッ素ゴム、ウレタンゴム、軟質ウレタン樹脂、アクリルエラストマー、軟質ＰＶＣ、ポリ塩化ビニル等を用いることができる。そして、図１および図２に示す様に、中心軸部１１は、前端部から後側にかけて径方向外側に突出する３つの突出部１３ａ〜突出部１３ｃからなる押圧部１３と、押圧部１３より後側で径方向外側に突出する２つの係合部１４ａ、係合部１４ｂからなる係合部１４とを備えている。
【００１９】
３つの突出部１３ａ〜突出部１３ｃは、図１および図２に示すように、中心軸部１１から径方向外側に突出し、中心軸部１１の前端から長軸に沿って伸びている。これらの３つの突出部１３ａ〜突出部１３ｃは、図１および図２に示すように、中心軸部１１の周方向に等間隔に配置されており、突出部１３ａ〜突出部１３ｃは中心軸部１１中心に回転対称に形成されている。突出部１３ａ〜突出部１３ｃを代表して、突出部１３ａについて説明する。突出部１３ａの側面は、図３に示すように、前端から後に向かうにつれ、中心軸部１１から径方向外側に次第に離れる傾斜面１３ａａを前側に備え、傾斜面１３ａａより後の上面１３ａｂでは、径方向の長さ１３ａＬが一定となっている。この様に、突出部１３ａは側面が台形状に形成されている。また、突出部１３ａは、前端から後端にかけて、中心軸部１１の周方向の厚み１３Ｔ（図２参照）が一定で、弾性を備える樹脂で薄板状に形成されている。
【００２０】
ここで、後述する様に、ロッド保持部１０にパーマネント用ロッド２００が挿入されたとき、突出部１３ａの上面１３ａｂがパーマネント用ロッド２００の内周面を押圧できるように、突出部１３ａの中心軸部１１の周方向の厚み１３Ｔ（図２参照）および上面１３ａｂの径方向の長さ１３ａＬ（図３参照）が設定されている。また、突出部１３ａは、上述した様に、弾性を備える樹脂で形成されており、弾性を備えている。このためパーマネント用ロッド２００の内周面に押圧されると、その上面１３ａｂの外径１３ａｂｒ（図３参照）が短くなる。突出部１３ｂおよび突出部１３ｃの側面の形状および厚みは、以上で説明した突出部１３ａの側面の形状および厚みと同様である。従って、詳細は後述するが、突出部１３ａ〜突出部１３ｃは、ロッド保持部１０にパーマネント用ロッド２００が挿入されたとき、パーマネント用ロッド２００の内周面を押圧し、保持することができる（図８参照）。
【００２１】
係合部１４（係合部１４ａ、係合部１４ｂ）は、図１および図２に示すように、上述した押圧部１３（突出部１３ａ〜突出部１３ｃ）の後側に隣接している。係合部１４ａおよび係合部１４ｂは、中心軸部１１から互いに反対方向に突出し、それぞれが板状に形成されている。ここで、後述する様にロッド保持部１０にパーマネント用ロッド２００が挿入されたとき、係合部１４（係合部１４ａ、係合部１４ｂ）は、パーマネント用ロッド２００の後端部２１２の溝２１２ａに係合するように、中心軸部１１の周方向の厚み１４Ｔが設定されている（図２参照）。
【００２２】
スプライン軸部１２は、図１に示す様に、中心軸部１１の後端（すなわち、係合部１４ａおよび係合部１４ｂの後側）から後方に延びる、溝数８の角形スプラインのスプライン軸である。スプライン軸部１２は、図１および図４に示す様に、前後方向に延びる円柱状の中心部１２ａと、その周方向に等間隔に並んだ８つの溝１２ｂとを備えている。スプライン軸部１２は、図１に示す様に回転駆動部２０の筒軸部２１のスプライン穴２１ａに着脱自在に嵌ることができる。また、図１に示す様に、これらの溝１２ｂのうち隣り合う２つの溝１２ｂの間に球１２ｃが保持されている。図５には、スプライン軸部１２を回転駆動部２０の筒軸部２１に嵌めた状態における、回転駆動部２０およびスプライン軸部１２の断面図を示した。ここで、図５は、球１２ｃの断面を含む断面の断面図となっている。
【００２３】
図５に示す様に、スプライン軸部１２は、２つの球１２ｃを備えており、これらの２つの球１２ｃは、ロッド保持部１０の回転軸１０ｃから互いに反対方向に突出しており、中心部１２ａを貫通する貫通孔１２ｄ（図５参照）に嵌められている。貫通孔１２ｄの内部には、コイルバネ１２ｅが設けられており、コイルバネ１２ｅは、２つの球１２ｃを貫通孔１２ｄから外側へ付勢している。なお、本実施形態では、スプライン軸部１２の溝数を８としたが、この溝数は適宜変更してもよく、例えば、６としてもよい。
【００２４】
以上で説明した様に、パーマネント用ロッド２００は、ロッド保持部１０の中心軸部１１から径方向外側に突出する押圧部１３（突出部１３ａ〜突出部１３ｃ）によって内周面を径方向外側に押圧され、さらに、係合部１４（係合部１４ａ、係合部１４ｂ）が後端部２１２の溝２１２ａに係合することでロッド保持部１０に保持される。ここで、上述した様に、突出部１３ａ〜突出部１３ｃは、弾性を備える樹脂で薄板状に形成されており、弾性を備えている。これにより、突出部１３ａ〜突出部１３ｃは、パーマネント用ロッド２００の内周面に押圧されると、弾性的に変形し、その外径（図３に示す外径１３ａｂｒ）が短くなる。このため、パーマネント用ロッド回転装置１００のロッド保持部１０が保持できるパーマネント用ロッド２００は、特定の内径のパーマネント用ロッド２００だけでなく、内径が突出部１３ａの上面１３ａｂの外径１３ａｂｒ（図３参照）よりも小さい種々のパーマネント用ロッド２００を保持し得る。換言すれば、パーマネント用ロッド回転装置１００に保持させて髪を巻きつけるパーマネント用ロッド２００として、３つの突出部１３ａ〜突出部１３ｃに接触しうる、内径の異なる種々のパーマネント用ロッド２００を用いることができる。
【００２５】
そして、一般的にパーマネントには、内径（例えば、１０ｍｍ、１６ｍｍ、２０ｍｍ、２４ｍｍ、３２ｍｍ）や前後方向の長さが異なる様々な種類のパーマネント用ロッド２００が用いられている。このため、１つのロッド保持部１０は、全ての種類のパーマネント用ロッド２００を保持できるとは限らない。そこで、本実施形態のパーマネント用ロッド回転装置１００は、パーマネント用ロッド２００の様々な種類の内径や長さに対応するように、中心軸部１１の外径や突出部１３ａ〜突出部１３ｃの側面の形状や厚みを適宜変更した複数の種類のロッド保持部１０をあらかじめ用意する。これらの複数の種類のロッド保持部１０は、中心軸部１１の外径や突出部１３ａ〜突出部１３ｃの側面の形状や厚みは異なるが、スプライン軸部１２の形状は、回転駆動部２０に着脱自在に構成するために同一の形状に設定する。この様な複数の種類のロッド保持部１０を、パーマネント用ロッド２００の内径や長さに応じて適宜用いることで、様々な内径や長さのパーマネント用ロッド２００をパーマネント用ロッド回転装置１００に取り付けて、後述する様に髪を巻きつけることができる。
【００２６】
回転駆動部２０は、図１に模式的に示す様に、ロッド保持部１０のスプライン軸部１２と嵌合するスプライン穴２１ａを内周に備え、回転駆動部２０に回転可能に保持されている筒状の筒軸部２１と、筒軸部２１を回転させるためのギヤードモータ２２と、ギヤードモータ２２の駆動力を筒軸部２１に伝達する駆動伝達軸機構２３と、ギヤードモータ２２を操作するスイッチ２４と、これらを保持するケース２５（図５参照）とを備えている。ここで、ギヤードモータ２２は、ギヤが組み込まれたことで回転数が調整されたモータであり、電池等の電源（図示省略）に接続されている。なお、駆動伝達軸機構２３は、図１には簡略化して示し、図５により詳細な構造を模式的に示した。
【００２７】
筒軸部２１は、スプライン穴２１ａ（図１参照）を内周に備え、図５に示す様に、前側に径方向外側に輪状に突出した突出部２１ｂを備え、後側に内側に突出した後端部２１ｃを備えている。突出部２１ｂがケース２５に保持されていることで、筒軸部２１はケース２５に回転可能に保持されている。また、筒軸部２１は、図５に示す様に、突出部２１ｂの内周面側で、上述したロッド保持部１０のスプライン軸部１２の２つの球１２ｃに対応する位置に、球１２ｃが嵌る、突出部２１ｂの内周面側を一周する溝２１ｄを備えている。溝２１ｄに球１２ｃが嵌ることで、ロッド保持部１０のスプライン軸部１２は、筒軸部２１に対して抜け止めされている。また、詳細を以下に説明するが、筒軸部２１の後端部２１ｃは、図５に示す様に、駆動伝達軸機構２３と接触している。
【００２８】
駆動伝達軸機構２３は、図５に示す様に、前端にフランジ部２３ａａを備え、後側の外周面に雄螺子部２３ａｂを備える管状の伝達軸２３ａと、フランジ部２３ａａより後側に伝達軸２３ａに嵌められたワッシャー２３ｂと、ワッシャー２３ｂの背後で伝達軸２３ａに嵌められた皿ばね２３ｃと、皿ばね２３ｃの背後で伝達軸２３ａの雄螺子部２３ａｂに係合しているナット２３ｄとを備えている。
【００２９】
図５に示す様に、筒軸部２１の後端部２１ｃは、伝達軸２３ａのフランジ部２３ａａとワッシャー２３ｂに挟まれている。ワッシャー２３ｂとナット２３ｄとの間に設けられた皿ばね２３ｃは、前後方向に弾性を備えている。これにより、ワッシャー２３ｂは、伝達軸２３ａの雄螺子部２３ａｂに係合するナット２３ｄと皿ばね２３ｃにより前側に付勢されている。そして、ナット２３ｄが、締め付けられて前方に移動するほど、皿ばね２３ｃは前方に締め付けられ、筒軸部２１の後端部２１ｃは、伝達軸２３ａのフランジ部２３ａａとワッシャー２３ｂによってより強く締め付けられる。この逆に、ナット２３ｄが、緩められて後方に移動するほど、筒軸部２１の後端部２１ｃは、伝達軸２３ａのフランジ部２３ａａとワッシャー２３ｂによってより弱く締め付けられる。
【００３０】
伝達軸２３ａは、図５に示す様に、内面に後側からギヤードモータ２２のシャフト２２ａが挿入され、シャフト２２ａが回転すると、伝達軸２３ａも回転する。そして、伝達軸２３ａの回転は、伝達軸２３ａのフランジ部２３ａａと筒軸部２１の後端部２１ｃとの摩擦により、筒軸部２１に伝わる。この様にフランジ部２３ａａと後端部２１ｃとの摩擦を介して、ギヤードモータ２２の駆動力が伝達軸２３ａから筒軸部２１に伝わる。このため、毛髪がロッド保持部１０にからみつくこと等の何らかの原因により、ロッド保持部１０の回転駆動部２０に対する回転が止められる万が一の場合に対し、次に説明するように、伝達軸２３ａが筒軸部２１に対して空回りし、ギヤードモータ２２の駆動力は伝達軸２３ａから筒軸部２１に伝わらない。すなわち、ロッド保持部１０の回転駆動部２０に対する回転が止められる万が一の場合には、ギヤードモータ２２のシャフト２２ａから伝達軸２３ａに駆動力が伝達したとしても、伝達軸２３ａのフランジ部２３ａａと筒軸部２１の後端部２１ｃとの間が滑り、伝達軸２３ａがら筒軸部２１へ駆動力が伝達しなくなる。この様に、ギヤードモータ２２の駆動力は筒軸部２１に伝わらなくなる。以上で説明したギヤードモータ２２の駆動力を制限するトルクリミッタ機構を、駆動伝達軸機構２３は備えている。これにより、上述した万が一の場合に対して、ギヤードモータ２２の駆動力が過度に筒軸部２１に伝わらないため、パーマネント用ロッド回転装置１００の使用者は、安全にパーマネント用ロッド回転装置１００を用いて髪をパーマネント用ロッド２００に巻き付けることができる。
【００３１】
そして、上述した様に、ナット２３ｄが、締め付けられて前方に移動するほど、筒軸部２１の後端部２１ｃは、伝達軸２３ａのフランジ部２３ａａとワッシャー２３ｂによってより強く締め付けられる。そして、この様に強く締め付けられるほど、フランジ部２３ａａと後端部２１ｃとの摩擦が大きくなる。この様に、フランジ部２３ａａと後端部２１ｃとの摩擦の大きさを、ナット２３ｄの締め付け度合いで調節できる。この様に、ナット２３ｄの締め付け度合いを調節することで、ロッド保持部１０の回転駆動部２０に対する回転がどの程度の力で止められた場合に、ギヤードモータ２２の駆動力を筒軸部２１に伝わらなくさせるかを調節することができる。
【００３２】
図１に示す様に、スイッチ２４は、Ｒ、Ｓ、Ｌの３つの位置に切り替え可能になっている。スイッチ２４をＳの位置にした場合、ギヤードモータ２２の回転は停止する。そして、スイッチ２４の位置をＲあるいはＬにすると、ギヤードモータ２２が回転し、ギヤードモータ２２の駆動力が駆動伝達軸機構２３を介して筒軸部２１に伝達され、筒軸部２１が回転する。ここで、筒軸部２１にロッド保持部１０が嵌合している場合は、筒軸部２１は、ロッド保持部１０と共に回転する。そして、スイッチ２４の位置がＲの場合はロッド保持部１０が右回転し、スイッチ２４の位置がＬの場合はロッド保持部１０が左回転するように設定されている。右回転とは、ロッド保持部１０の回転軸１０ｃを後側からみて、ロッド保持部１０が右に回転することであり、左回転とはその逆にロッド保持部１０が回転することである。以上では、パーマネント用ロッド回転装置１００の構成について説明した。
【００３３】
＜２．パーマネント用ロッド回転装置１００の使用について（図１、図５〜図８）＞
図６には、使用時のパーマネント用ロッド回転装置１００の側面を部分的に示した。パーマネント用ロッド回転装置１００を使用するために、使用者は、まず、ロッド保持部１０のスプライン軸部１２を回転駆動部２０のスプライン穴２１ａに嵌める（図１参照）。そして、パーマネント用ロッド２００をロッド保持部１０に嵌める（図１参照）。ここで、前述した様に、パーマネント用ロッド２００をロッド保持部１０に嵌めたとき、係合部１４（係合部１４ａ、係合部１４ｂ）は、パーマネント用ロッド２００の後端部２１２の溝２１２ａに係合する（図６および図７参照）。
【００３４】
また、突出部１３ａの上面１３ａｂがパーマネント用ロッド２００の内周面を押圧し（図３、図６、図８参照）、同様に突出部１３ｂ、突出部１３ｃもパーマネント用ロッド２００の内周面を押圧する。そして、３つの突出部１３ａ〜突出部１３ｃは、パーマネント用ロッド２００の中心軸２００ｃに対して回転対称に配置されている。従って、パーマネント用ロッド２００は、中心軸２００ｃがロッド保持部１０の回転軸１０ｃと重なる様に押圧部１３（突出部１３ａ、突出部１３ｂ、突出部１３ｃ）によって径方向外側に押圧されている（図８参照）。なお、以上の手順では、まず、ロッド保持部１０のスプライン軸部１２を回転駆動部２０のスプライン穴２１ａに嵌め、次に、パーマネント用ロッド２００をロッド保持部１０に嵌める。
【００３５】
そして、使用者がスイッチ２４の位置をＲあるいはＬにすれば、筒軸部２１がロッド保持部１０およびパーマネント用ロッド２００と共に回転する。上述した様に、スイッチ２４の位置がＲの場合はパーマネント用ロッド２００が右に回転し、スイッチ２４の位置がＬの場合はパーマネント用ロッド２００が左に回転する。そこで次に、使用者は、スイッチ２４をＲあるいはＬの位置にし、パーマネント用ロッド２００を回転させて、パーマネント用ロッド２００に髪を巻きつけることができる。使用者は、パーマネント用ロッド２００に髪をまきつけたら、スイッチ２４の位置をＳにし、パーマネント用ロッド２００の回転を停止させる。
【００３６】
次に、使用者は、髪が巻き付けられたパーマネント用ロッド２００を、パーマネント用ロッド回転装置１００のロッド保持部１０から外す。そして、パーマネント用ロッド２００の前端部２１１の複数の溝２１１ａおよび、後端部２１２の複数の溝２１２ａに輪ゴムを引っ掛け、パーマネント用ロッド２００に巻きつけられた髪を輪ゴムで留める。以上で説明したパーマネント用ロッド２００に髪を巻きつける作業を繰り返すことで、使用者は、複数のパーマネント用ロッド２００に髪を巻きつけることができる。
【００３７】
なお、上記の手順では、髪が巻き付けられたパーマネント用ロッド２００を、パーマネント用ロッド回転装置１００のロッド保持部１０から外した後、パーマネント用ロッド２００に巻きつけられた髪を輪ゴムで留めるが、これらの手順を逆にしてもよい。すなわち、まず、髪が巻き付けられたパーマネント用ロッド２００を、パーマネント用ロッド回転装置１００のロッド保持部１０から外すことなく、パーマネント用ロッド２００に巻きつけられた髪を輪ゴムで留める。ここで、図６に示す様に、パーマネント用ロッド２００がロッド保持部１０に保持されているとき、パーマネント用ロッド２００の後端と筒軸部２１の前端との間に隙間１４ｇがあくように、係合部１４ａ、係合部１４ｂ（図１参照）の前後方向の長さが設定されている。これにより、パーマネント用ロッド２００の後端部２１２の溝２１２ａに輪ゴムを引っ掛けるときに、隙間１４ｇに輪ゴムを通すことで、容易に輪ゴムを引っ掛けることができる。こうして輪ゴムで髪を留めたら、次に、輪ゴムで髪を留めたパーマネント用ロッド２００を、パーマネント用ロッド回転装置１００のロッド保持部１０から外す。
【００３８】
ここで、上述した様に、筒軸部２１の溝２１ｄにスプライン軸部１２の２つの球１２ｃが嵌ることで、ロッド保持部１０のスプライン軸部１２は、筒軸部２１に対して抜け止めされている（図５参照）。これにより、パーマネント用ロッド２００に髪を巻きつける作業中に、パーマネント用ロッド２００が、パーマネント用ロッド回転装置１００のロッド保持部１０から外れることを防いでいる。そして、髪が巻き付けられたパーマネント用ロッド２００を、パーマネント用ロッド回転装置１００のロッド保持部１０から外すこともできる。
【００３９】
また、上述した様に、パーマネント用ロッド２００の様々な種類の内径や長さに対応するように、中心軸部１１の外径や突出部１３ａ〜突出部１３ｃの側面の形状や厚みを適宜変更した複数の種類のロッド保持部１０をあらかじめ用意する。この様な複数の種類のロッド保持部１０を、パーマネント用ロッド２００の内径や長さに応じて適宜用いることで、様々な内径や長さのパーマネント用ロッド２００をパーマネント用ロッド回転装置１００に取り付けて、パーマネント用ロッド２００に髪を巻きつけることができる。
【００４０】
さらに、上述した様に、毛髪がロッド保持部１０にからみつくこと等の何らかの原因により、ロッド保持部１０の回転駆動部２０に対する回転が止められる万が一の場合には、伝達軸２３ａが筒軸部２１に対して空回りし、ギヤードモータ２２の駆動力は伝達軸２３ａから筒軸部２１に伝わらないトルクリミッタ機構を駆動伝達軸機構２３は備えている。これにより、パーマネント用ロッド回転装置１００の使用者は、安全にパーマネント用ロッド回転装置１００を用いて髪をパーマネント用ロッド２００に巻き付けることができる。
【００４１】
＜３．パーマネント用ロッド回転装置１００の作用効果について＞
以上のように構成される本実施形態のパーマネント用ロッド回転装置１００は、以下のような作用効果を奏する。本実施形態のパーマネント用ロッド回転装置１００によれば、パーマネント用ロッド２００の内部に挿入され、パーマネント用ロッド２００を着脱自在に保持し、弾性を備える樹脂で形成されたロッド保持部１０と、ロッド保持部１０の一端側を回転可能に保持する回転駆動部２０と、を備え、ロッド保持部１０は、一端側にパーマネント用ロッド２００の末端に係合可能な係合部１４（係合部１４ａ、係合部１４ｂ）、およびパーマネント用ロッド２００の内周面を径方向外側に押圧する押圧部１３（突出部１３ａ〜突出部１３ｃ）を有し、押圧部１３（突出部１３ａ〜突出部１３ｃ）は、ロッド保持部１０の回転軸１０ｃに対して回転対称に押圧可能である。
【００４２】
これにより、パーマネント用ロッド回転装置１００に、パーマネント用ロッド２００を保持させた場合、回転駆動部２０が、ロッド保持部１０をパーマネント用ロッド２００と共に回転させることができる。ここで、係合部１４（係合部１４ａ、係合部１４ｂ）がパーマネント用ロッド２００の末端に係合することで、確実にパーマネント用ロッド２００を回転させることができる。
【００４３】
さらに、パーマネント用ロッド回転装置１００は、パーマネント用ロッド２００の内周面を径方向外側に押圧する押圧部１３（突出部１３ａ、突出部１３ｂ、突出部１３ｃ）が、ロッド保持部１０の回転軸１０ｃに対して回転対称に押圧可能である。従って、パーマネント用ロッド２００は、中心軸２００ｃがロッド保持部１０の回転軸１０ｃと重なる様に押圧部１３（突出部１３ａ、突出部１３ｂ、突出部１３ｃ）によって径方向外側に押圧されることで保持される。これにより、回転駆動部２０がロッド保持部１０を回転させたとき、パーマネント用ロッド２００を、パーマネント用ロッド２００の中心軸２００ｃを中心に回転させることができる。
【００４４】
以上で説明したように、パーマネント用ロッド回転装置１００は、係合部１４（係合部１４ａ、係合部１４ｂ）がパーマネント用ロッド２００の末端に係合することで、確実にパーマネント用ロッド２００を回転させることができる。そして、押圧部１３（突出部１３ａ〜突出部１３ｃ）がロッド保持部１０の回転軸１０ｃに対して回転対称に押圧することで、パーマネント用ロッド２００を、パーマネント用ロッド２００の中心軸２００ｃを中心に回転させることができる。その結果、パーマネント用ロッド２００の回転にぶれが生じにくいため、パーマネント用ロッド２００に髪を巻き付けるときに、巻き付けにムラが生じにくい。
【００４５】
また、ロッド保持部１０は弾性を備える樹脂で形成されており、押圧部１３（突出部１３ａ〜突出部１３ｃ）が、パーマネント用ロッド２００を径方向外側に弾性的に押圧することでパーマネント用ロッド２００を保持している。ここで、押圧部１３（突出部１３ａ〜突出部１３ｃ）の弾性により押圧部１３の径方向の長さは変わりうる。このため、パーマネント用ロッド２００用回転装置は、内径が特定の径のパーマネント用ロッド２００に限らず、内径の異なる種々のパーマネント用ロッド２００を、ロッド保持部１０に回転可能に保持できる。換言すれば、パーマネント用ロッド回転装置１００に保持させて髪を巻きつけるパーマネント用ロッド２００として、内径の異なる種々のパーマネント用ロッド２００を用いることができる。
【００４６】
また、押圧部１３は、ロッド保持部１０から径方向外側に突出する複数（３つ）の突出部１３ａ〜突出部１３ｃを有し、複数の突出部１３ａ〜突出部１３ｃは、ロッド保持部１０の回転軸１０ｃに対して回転対称に配置されている。これにより、パーマネント用ロッド２００は、複数の突出部１３ａ〜突出部１３ｃに押圧されるため、安定してロッド保持部１０に保持される。
［その他の実施形態］
以下で説明するその他の実施形態において、上述した実施形態で説明したパーマネント用ロッド回転装置１００と実質的な構成及び作用が同じとなる箇所については、これらと同一の符号を付して説明を省略し、異なる箇所について詳しく説明することとする。その他の実施形態として、例えば、上述した実施形態のパーマネント用ロッド回転装置１００は、ロッド保持部１０が押圧部１３として３つの突出部１３ａ〜突出部１３ｃを備える。しかし、押圧部１３は、パーマネント用ロッド２００の内周面を径方向外側に押圧可能、かつロッド保持部１０の回転軸１０ｃに対して回転対称に押圧可能であればよい。従って、押圧部１３は、３つの突出部１３ａ〜突出部１３ｃとして構成されていなくてもよい。例えば、図９には、本実施形態のロッド保持部１０について、図８と同様の断面図を示したが、図９に示す様に、ロッド保持部１０が４つの突出部１１３ａ〜突出部１１３ｄからなる押圧部１１３を備え、これらの４つの突出部１１３ａ〜突出部１１３ｄを回転軸１０ｃに対して回転対称に配置してもよい。また、押圧部１３を、中心軸部１１の外周面を一周するリング状の突出部として構成してもよく、このリング状の突出部複数を押圧部１３として構成してもよい。
【００４７】
上述した実施形態では、パーマネント用ロッド回転装置１００のロッド保持部１０は、パーマネント用ロッド２００を径方向外側に押圧して保持するために、弾性を備える樹脂で一体に形成されている。しかし、ロッド保持部１０がパーマネント用ロッド２００を径方向外側に押圧して保持できるために、押圧部１３が弾性を備えるように形成されていればよく、必ずしもロッド保持部１０が弾性を備える樹脂で一体に形成されていなくともよい。例えば、ロッド保持部１０の押圧部１３（突出部１３ａ〜突出部１３ｃ）を、上述した弾性を備える樹脂で形成する。そして、ロッド保持部１０の押圧部１３以外の部分（中心軸部１１、係合部１４ａ、係合部１４ｂ、スプライン軸部１２）を、押圧部１３より硬質の樹脂で形成するものとし、この様に、ロッド保持部１０を、弾性を備える樹脂と、より硬質な樹脂とで一体に形成してもよい。より硬質な樹脂として、例えば、ポリエチレン、ポリプロピレン等のポリオレフィンや、ポリエチレンテレフタレート等のポリエステルや、６，６−ナイロン等のポリアミドや、ポリ塩化ビニルや、ポリイミドを用いることができる。
【００４８】
また、ロッド保持部１０をより硬質の樹脂で一体に形成してもよい。この場合、ロッド保持部１０の押圧部１３がパーマネント用ロッド２００を径方向外側に押圧して保持できるために、押圧部１３が弾性を備えるように構成すればよい。例えば、突出部１３ａの中心軸部１１の周方向の厚み１３Ｔ（図２参照）をより一層薄くし、突出部１３ａの上面１３ａｂの径方向の長さ１３ａＬ（図３参照）をより長くすればよい。突出部１３ｂおよび突出部１３ｃも同様である。
【００４９】
また、上述した実施形態のパーマネント用ロッド回転装置１００は、駆動伝達軸機構２３にトルクリミッタ機構を設けているが、ギヤードモータ２２の備えるギヤに上述したトルクリミッタ機構と同等の機能を有する機構を設けてもよい。
【００５０】
パーマネント用ロッド２００に髪を巻きつける作業中に、パーマネント用ロッド２００が、パーマネント用ロッド回転装置１００のロッド保持部１０から外れることを防ぐために、ロッド保持部１０のスプライン軸部１２の２つの球１２ｃと、突出部２１ｂの内周面側を一周する溝２１ｄとを係合させている。このためにロッド保持部１０のスプライン軸部１２は、２つの球１２ｃと、これらの球１２ｃを付勢するコイルバネ１２ｅと、球１２ｃおよびコイルバネ１２ｅを収容する貫通孔１２ｄと備え（図５参照）、筒軸部２１は、２つの球１２ｃが嵌ることができる、突出部２１ｂの内周面側を一周する溝２１ｄを備えている。ここで、ロッド保持部１０の２つ球１２ｃと、コイルバネ１２ｅと、貫通孔１２ｄ（図５参照）に換えて、ロッド保持部１０のスプライン軸部１２に、突出部２１ｂに溝２１ｄに係合可能な、２つの球１２ｃの前後方向の位置に周方向に一周する輪状の突出部を設けてもよい。
【００５１】
上述した実施形態のパーマネント用ロッド回転装置１００の回転駆動部２０の駆動伝達軸機構２３を適宜変更してもよい。例えば、駆動伝達軸機構２３に変速機構などを設けることができる。また、上述した実施形態のパーマネント用ロッド回転装置１００の回転駆動部２０のスイッチ２４の構成を適宜変更してもよく、例えば、スイッチ２４として、２つの押ボタンスイッチで構成することができる。ここで、これらの押ボタンスイッチいずれもが押されていなければ、ギヤードモータ２２および筒軸部２１は回転しないが、一方の押ボタンが押された場合は筒軸部２１が右回転するようギヤードモータ２２が回転し、他方の押ボタンが押された場合は筒軸部２１が左回転するようギヤードモータ２２が回転するように構成する。
【００５２】
本発明のパーマネント用ロッド回転装置１００は、上記の実施の形態にて説明した構造、構成、外観、形状等に限定されるものではなく、本発明の要旨を変更しない範囲で種々の変更、追加、削除が可能である。
【符号の説明】
【００５３】
１００  パーマネント用ロッド回転装置
１０  ロッド保持部
１０ｃ  回転軸
１１  中心軸部
１２  スプライン軸部
１２ａ  中心部
１２ｂ  溝
１２ｃ  球
１２ｄ  貫通孔
１２ｅ  コイルバネ
１３  押圧部
１３ａ〜１３ｃ  突出部
１３ａａ  傾斜面
１３ａｂ  上面
１３ａｂｒ  外径
１４  係合部
１４ａ  係合部
１４ｂ  係合部
１４ｇ  隙間
２０  回転駆動部
２１  筒軸部
２１ａ  スプライン穴
２１ｂ  突出部
２１ｃ  後端部
２１ｄ  溝
２２  ギヤードモータ
２２ａ  シャフト
２３  駆動伝達軸機構
２３ａ  伝達軸
２３ａａ  フランジ部
２３ａｂ  雄螺子部
２３ｂ  ワッシャー
２３ｄ  ナット
２４  スイッチ
２５  ケース
１１３  押圧部
１１３ａ〜１１３ｄ  突出部
２００  パーマネント用ロッド
２００ｃ  中心軸
２１１  前端部
２１１ａ  溝
２１２  後端部
２１２ａ  溝
【図１】
2019213608.tif 000003
【図２】
2019213608.tif 000004
【図３】
2019213608.tif 000005
【図４】
2019213608.tif 000006
【図５】
2019213608.tif 000007
【図６】
2019213608.tif 000008
【図７】
2019213608.tif 000009
【図８】
2019213608.tif 000010
【図９】
2019213608.tif 000011